【手続補正書】
【提出日】平成18年8月31日(2006.8.31)
【手続補正１】
【補正対象書類名】明細書
【補正対象項目名】特許請求の範囲
【補正方法】変更
【補正の内容】
【特許請求の範囲】
【請求項１】  ２つの中空部材（２，３）を有し、これらの部材がその母線（２３，３３）に対して角度αで傾いた切頭面（２２，３２）を各々有していて、前記母線が連結中心において単一の交点（Ｃ）で交わる、可変形状のシールされたカップリングであって、固定手段を有しており、該固定手段は中空部材（２，３）を互いにシール状態で連結しかつ中空部材（２，３）を互いに対して、すなわち一方を他方に対して、回動可能としており、カップリング（１）を様々な角度位置とし、また前記部材を分解できるようにする、可変形状のシールされたカップリング。
【請求項２】  同一形状の２つの部材（２，３）を有することを特徴とする請求項１の可変形状のシールされたカップリング。
【請求項３】  各部材（２，３）は半球形状の部分（２１，３１）によって延びる円筒状部分（２０，３０）を有しており、前記半球形状の部分によって各切頭面（２２，３２）が円形で平らな接触面を有することができるようになっていることを特徴とする請求項１の可変形状のシールされたカップリング。
【請求項４】  各部材（２，３）には内部穴（２４，３４）が設けられており、この内部穴は半球形状の部分（２１，３１）においてエルボ状部分（２５，３５）を有し、該エルボ状部分は切頭面（２２，３２）を含む面に垂直な面内に配置されていることを特徴とする請求項１の可変形状のシールされたカップリング。
【請求項５】  各部材（２，３）の円筒状部分（２０，３０）は対応する固定リング（４，５）を設けるためのネジ付リブ（２６，３６）をその外面に有していることを特徴とする請求項３の可変形状のシールされたカップリング。
【請求項６】  各部材（２，３）の半球形状の部分（２１，３１）は切頭面（２２，３２）と同じ端部でかつ穴（２４，３４）のエルボ状部分の外側において、ネジ付プロファイル（２７，３７）を有しており、該ネジ付プロファイルはカップリング（１）の部材（２，３）を互いに連結可能とするネジ付連結リング（６）を設けることができるように設計されていることを特徴とする請求項３の可変形状のシールされたカップリング。
【請求項７】  各切頭面（２２，３２）には円形溝（２９，３９）が設けられており、この円形溝は２つの部材（２，３）の間においてカップリング（１）をシールするためのＯリングを設けるように設計されていることを特徴とする請求項３の可変形状のシールされたカップリング。
【請求項８】  連結リング（６）及び各ネジ付プロファイル（２７，３７）に設けられたネジのピッチは短くて、部材（２，３）を組み付けたときに一方が他方に対して外れるおそれなく回動してカップリング（１）の角度位置を調節できるようにしていることを特徴とする請求項６の可変形状のシールされたカップリング。
【請求項９】  各部材（２，３）の穴（２４，３４）のエルボ状部分（２５，３５）は中空のネジ付連結リング（７）と協働する内部ネジを有していて、前記部材（２，３）を互いに組み付けることができるようになっていることを特徴とする請求項４の可変形状のシールされたカップリング。
【請求項１０】  連結リング（７）及び各穴（２４，３４）のエルボ状部分（２５，３５）の内面に設けられたネジのピッチは短くて、部材（２，３）を組み付けたときに一方が他方に対して外れるおそれなく回動してカップリング（１）の角度位置を調節できるようにしていることを特徴とする請求項９の可変形状のシールされたカップリング。
【請求項１１】  部材（２）の半球形状の部分（２１）はフランジ（８）を有し、該フランジは角度（α）で傾いた切頭面（２２）を有しており、一方、部材（３）の切頭面（３２）には周辺溝（８０）が設けられており、該周辺溝は部材（２，３）を一緒に組み付けるためにフランジ（８）を受容するためのものであることを特徴とする請求項３の可変形状のシールされたカップリング。
【請求項１２】  ２つの部材（２，３）の間の中間部品（９）を有し、該中間部品は連結リング（６）により各部材に連結されていて、カップリング（１）を特定の角度位置とすることができることを特徴とする請求項３の可変形状のシールされたカップリング。
【請求項１３】  中間部品（９）は母線（９１）に対して角度（α）で傾いた第１の切頭面（９２）と、同様な角度（α）で傾いているが第１の切頭面（９２）と反対側にある第２の切頭面（９３）と、中間部品の母線（９１）を有する開口した穴（９０）とを有していることを特徴とする請求項１２の可変形状のシールされたカップリング。
【請求項１４】  中間部品（９）の外形形状は各切頭面（９２，９３）が円形でかつ平らな接触面を有することができて、前記部品（９）に対して部材（２，３）の独立した回転と角度調節が可能となっていることを特徴とする請求項１３の可変形状のシールされたカップリング。
【請求項１５】  前記固定手段は部材（２，３）の互いへの組み付けを可能とする環状に配置された穴（１２）を備えたディスク（１０，１１）を有していることを特徴とする請求項１の可変形状のシールされたカップリング。
【請求項１６】  ディスク（１０，１１）は前記部材を互いに固定したときのシールを確実化するシール（１７）を受容するダブルの円錐(double conicity)（１３，１４）をそれぞれ有していることを特徴とする請求項１５の可変形状のシールされたカップリング。
【請求項１７】  部材（２，３）がプラスチックである場合において前記固定手段は円錐溝（１９）とこの溝の形状と相補的な形状の円錐リブ（４０）とを有していることを特徴とする請求項１の可変形状のシールされたカップリング。
【請求項１８】  前記固定手段は、
・部材（２）の切頭面（２２）の連続部（４７）を有し、該連続部は金属製のワイヤ（４２）を受容するための円形溝（４１）を備えて、固定リング（４３）との回動連結を行なっており、該固定リングは前記連続部と相補的な内部形状を有しており、
・部材（３）の切頭面（３２）のフランジ（４４）を有し、該フランジの外周にはネジが設けられていて、リング（４３）のネジ付内部（４６）と協働して２つの部材（２，３）を互いに固定しまた回転可能としている、
ことを特徴とする請求項１の可変形状のシールされたカップリング。
【請求項１９】  部材（２）の連続部（４７）と部材（３）のフランジ（４４）との間にシール（４５）が設けられていて、カップリング（１）を組み付けたときの完全なシールが保証されていることを特徴とする請求項１８の可変形状のシールされたカップリング。
【請求項２０】  前記固定手段は、
・部材（２）の切頭面（２２）の連続部（４７）を有し、該連続部は金属或いはその他の材料製のワイヤ（４２）を受容するための円形溝（４１）を備えて、固定リング（４３）との回動連結を行なっており、該固定リングは前記連続部と相補的な内部形状を有しており、
・部材（３）の切頭面（３２）のフランジ（４４）を有し、該フランジは金属或いはその他の材料製の別のワイヤ（４９）を受容するための円形溝（４８）を備えており、該ワイヤはリング（４３）の相補的な形状の内部と協働して２つの部材（２，３）を互いに固定しまた回転可能としている、
ことを特徴とする請求項１の可変形状のシールされたカップリング。
【請求項２１】  前記固定手段は、
・部材（２）の切頭面（２２）の連続部（４７）を有し、該連続部は固定リング（４３）の内部のネジ（５１）と協働するための右ネジ（５０）を備えており、
・部材（３）の切頭面（３２）のフランジ（４４）を有し、該フランジは前記固定リングの内部のネジ（５２）と協働するネジ（５３）を備えていて、リング（４３）をねじ込むと２つの部材（２，３）が互いに向けて動いて連結部がロックされるようになっており、
・前記２つの部材の厳密なインデックスを可能とする、部材（４７）及び（４４）の面に設けられたノッチシステム或いはインデックスシステムを有している、
ことを特徴とする請求項１の可変形状のシールされたカップリング。
【請求項２２】  前記固定手段は、
・部材（２）の切頭面（２２）の連続部（４７）を有し、該連続部は部材（３）内に設けられたボール（５５）の通過を許容するためハウジング（５４）と直角に設けられた円形溝（４１）を備えており、
・部材（３）の切頭面（３２）の内部穴（５６）を有し、該内部穴は部材（２）の連続部（４７）を受容するように設計されており、その内周にはボール（５５）を装着するためのハウジング（５７）が設けられている、
ことを特徴とする請求項１の可変形状のシールされたカップリング。
【請求項２３】  前記固定手段は、
・部材（２）の切頭面（２２）の連続部（４７）を有し、該連続部は円錐形状のフランジ（５８）を有しており、
・部材（３）の切頭面（３２）の別の円錐形状のフランジ（５９）を有し、
・２つの半カラー（６１，６２）により構成されるリング（６０）を有し、前記半カラーはリング（６０）を円錐形状のフランジ（５８，５９）のまわりで結合することを可能とするネジ（６３）と平穴（６４）とを有していて、部材（２，３）を保持可能な回転連結を行うものである、
ことを特徴とする請求項１の可変形状のシールされたカップリング。
【請求項２４】  前記固定手段は、
・部材（２，３）の切頭面（２２，３２）のネジ付連続部（６６，６７）を有し、該連続部には雄及び雌連結部の支持部として機能する部品（６８，６９）が導入されるものであり、
・ネジ付連結部（６６，６７）とそれぞれ協働して部品（６８，６９）を支持するリング（７０，７１）を有し、該リング（７０，７１）は部材（２，３）を組み付けたときにＯリング（７４）を収容するための溝（７２，７３）を各々有していて、連結部をシールするものであり、
・部材（２，３）を組み付けたときにリング（７０，７１）を互いに結合可能とする別のリング（７５）を有し、
・前記２つの部材の厳密なインデックスを可能とする、部材（４７）及び（４４）の面に設けられたノッチシステム或いはインデックスシステムを有している、
ことを特徴とする請求項１の可変形状のシールされたカップリング。
【請求項２５】  リング（７５）はリング（７０）の外部のネジ（７７）と協働するタップネジ（７６）と、リング（７１）の周部に形成された溝（７９）内に開口する横方向のドリル穴（７８）とを有していることを特徴とする請求項２４の可変形状のシールされたカップリング。
【請求項２６】  ボール（８５）が溝（７９）内に導入されることで部材（２，３）間の回転連結を行うことができることを特徴とする請求項２５の可変形状のシールされたカップリング。